【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
仮想空間中に配置されたオリジナル仮想物体を複製する複製工程と、
前記複製工程で複製された仮想物体を、前記オリジナル仮想物体との干渉状態を計算する対象外に設定する第１の設定工程と、
前記複製工程で複製された仮想物体について、予め設定された条件を満たすか否かを判断する判断工程と、
前記判断工程で予め設定された条件を満たすと判断された仮想物体を、前記オリジナル仮想物体との干渉状態を計算する対象に設定する第２の設定工程と、
前記オリジナル仮想物体との干渉状態を計算する対象に設定された仮想物体のみ、前記オリジナル仮想物体との干渉状態を計算する計算工程と
を備えることを特徴とする画像処理方法。
【請求項２】
前記第２の設定工程では、前記複製工程による複製後、予め設定された時間が経過した仮想物体を、前記オリジナル仮想物体との干渉状態を計算する対象に設定することを特徴とする請求項１に記載の画像処理方法。
【請求項３】
前記第２の設定工程では、前記複製工程で複製した仮想物体のうち、前記オリジナル仮想物体との干渉が無くなっている仮想物体を、前記オリジナル仮想物体との干渉状態を計算する対象に設定することを特徴とする請求項１に記載の画像処理方法。
【請求項４】
更に、前記計算工程による計算処理の結果、前記オリジナル仮想物体と干渉している仮想物体が存在した場合には、その旨を通知する通知工程を備えることを特徴とする請求項１乃至３の何れか１項に記載の画像処理方法。
【請求項５】
操作者が手に保持して操作する指示具の位置姿勢を取得する取得工程と、
前記取得工程で取得した位置姿勢にオリジナル仮想物体を配置する配置工程と、
前記配置工程で配置されたオリジナル仮想物体を複製する複製工程と、
前記複製工程で複製された仮想物体を、前記オリジナル仮想物体との干渉状態を計算する対象外に設定する第１の設定工程と、
前記複製工程で複製された仮想物体について、予め設定された条件を満たすか否かを判断する判断工程と、
前記判断工程で予め設定された条件を満たすと判断された仮想物体を、前記オリジナル仮想物体との干渉状態を計算する対象に設定する第２の設定工程と、
前記オリジナル仮想物体との干渉状態を計算する対象に設定された仮想物体のみ、前記オリジナル仮想物体との干渉状態を計算する計算工程と
を備えることを特徴とする画像処理方法。
【請求項６】
仮想空間中に配置されたオリジナル仮想物体を複製する複製手段と、
前記複製手段によって複製された仮想物体を、前記オリジナル仮想物体との干渉状態を計算する対象外に設定する第１の設定手段と、
前記複製手段によって複製された仮想物体について、予め設定された条件を満たすか否かを判断する判断手段と、
前記判断手段によって予め設定された条件を満たすと判断された仮想物体を、前記オリジナル仮想物体との干渉状態を計算する対象に設定する第２の設定手段と、
前記オリジナル仮想物体との干渉状態を計算する対象に設定された仮想物体のみ、前記オリジナル仮想物体との干渉状態を計算する計算手段と
を備えることを特徴とする画像処理装置。
【請求項７】
操作者が手に保持して操作する指示具の位置姿勢を取得する取得手段と、
前記取得手段が取得した位置姿勢にオリジナル仮想物体を配置する配置手段と、
前記配置手段によって配置されたオリジナル仮想物体を複製する複製手段と、
前記複製手段によって複製された仮想物体を、前記オリジナル仮想物体との干渉状態を計算する対象外に設定する第１の設定手段と、
前記複製手段によって複製された仮想物体について、予め設定された条件を満たすか否かを判断する判断手段と、
前記判断手段によって予め設定された条件を満たすと判断された仮想物体を、前記オリジナル仮想物体との干渉状態を計算する対象に設定する第２の設定手段と、
前記オリジナル仮想物体との干渉状態を計算する対象に設定された仮想物体のみ、前記オリジナル仮想物体との干渉状態を計算する計算手段と
を備えることを特徴とする画像処理装置。
【請求項８】
コンピュータに請求項１乃至５の何れか１項に記載の画像処理方法を実行させる為のプログラム。
【請求項９】
請求項８に記載のプログラムを格納したことを特徴とする、コンピュータ読み取り可能な記憶媒体。
【手続補正２】
【補正対象書類名】明細書
【補正対象項目名】００１２
【補正方法】変更
【補正の内容】
【００１２】
即ち、仮想空間中に配置されたオリジナル仮想物体を複製する複製工程と、
前記複製工程で複製された仮想物体を、前記オリジナル仮想物体との干渉状態を計算する対象外に設定する第１の設定工程と、
前記複製工程で複製された仮想物体について、予め設定された条件を満たすか否かを判断する判断工程と、
前記判断工程で予め設定された条件を満たすと判断された仮想物体を、前記オリジナル仮想物体との干渉状態を計算する対象に設定する第２の設定工程と、
前記オリジナル仮想物体との干渉状態を計算する対象に設定された仮想物体のみ、前記オリジナル仮想物体との干渉状態を計算する計算工程と
を備えることを特徴とする。
【手続補正３】
【補正対象書類名】明細書
【補正対象項目名】００１４
【補正方法】変更
【補正の内容】
【００１４】
即ち、操作者が手に保持して操作する指示具の位置姿勢を取得する取得工程と、
前記取得工程で取得した位置姿勢にオリジナル仮想物体を配置する配置工程と、
前記配置工程で配置されたオリジナル仮想物体を複製する複製工程と、
前記複製工程で複製された仮想物体を、前記オリジナル仮想物体との干渉状態を計算する対象外に設定する第１の設定工程と、
前記複製工程で複製された仮想物体について、予め設定された条件を満たすか否かを判断する判断工程と、
前記判断工程で予め設定された条件を満たすと判断された仮想物体を、前記オリジナル仮想物体との干渉状態を計算する対象に設定する第２の設定工程と、
前記オリジナル仮想物体との干渉状態を計算する対象に設定された仮想物体のみ、前記オリジナル仮想物体との干渉状態を計算する計算工程と
を備えることを特徴とする。
【手続補正４】
【補正対象書類名】明細書
【補正対象項目名】００１６
【補正方法】変更
【補正の内容】
【００１６】
即ち、仮想空間中に配置されたオリジナル仮想物体を複製する複製手段と、
前記複製手段によって複製された仮想物体を、前記オリジナル仮想物体との干渉状態を計算する対象外に設定する第１の設定手段と、
前記複製手段によって複製された仮想物体について、予め設定された条件を満たすか否かを判断する判断手段と、
前記判断手段によって予め設定された条件を満たすと判断された仮想物体を、前記オリジナル仮想物体との干渉状態を計算する対象に設定する第２の設定手段と、
前記オリジナル仮想物体との干渉状態を計算する対象に設定された仮想物体のみ、前記オリジナル仮想物体との干渉状態を計算する計算手段と
を備えることを特徴とする。
【手続補正５】
【補正対象書類名】明細書
【補正対象項目名】００１８
【補正方法】変更
【補正の内容】
【００１８】
即ち、操作者が手に保持して操作する指示具の位置姿勢を取得する取得手段と、
前記取得手段が取得した位置姿勢にオリジナル仮想物体を配置する配置手段と、
前記配置手段によって配置されたオリジナル仮想物体を複製する複製手段と、
前記複製手段によって複製された仮想物体を、前記オリジナル仮想物体との干渉状態を計算する対象外に設定する第１の設定手段と、
前記複製手段によって複製された仮想物体について、予め設定された条件を満たすか否かを判断する判断手段と、
前記判断手段によって予め設定された条件を満たすと判断された仮想物体を、前記オリジナル仮想物体との干渉状態を計算する対象に設定する第２の設定手段と、
前記オリジナル仮想物体との干渉状態を計算する対象に設定された仮想物体のみ、前記オリジナル仮想物体との干渉状態を計算する計算手段と
を備えることを特徴とする。